(57)【要約】      （修正有）【課題】内部の視認性を高め物品確認が容易にできるとともに、高所作業での転倒による物品の落下防止等不安定な姿勢での効率化と安全性を高め、人身事故防止ができる工具袋を提供する。【解決手段】有底収納袋本体１にスライドファスナー付透明シートの開閉フタ２を設け、フタに物品の取出し口３を設け、有底収納袋の内部を白色にする。内部が見やすく、物品確認と出し入れが容易にできる。また、有底収納袋本体に振れ止め紐５を設け、有底収納袋の底部に物品の仕分け袋を固定、または仕分け袋を必要に応じて、出し入れ使用できるようにする。【選択図】図１
0003208509.tif 000002
【実用新案登録請求の範囲】
【請求項１】
有底収納袋の上部に、スライドファスナー付透明シートの開閉フタを設けて内部収納物を目視確認できる機能を設けたことを特徴とする工具袋。
【請求項２】
請求項１の工具袋において
透明シートのフタに、物品の取り出し口を設けて、フタご常に閉鎖の状態で目視確認して必要な工具を的確に出し入れできる機能を設けたことを特徴とする工具袋。
【請求項３】
請求項１〜２に記載の工具袋において
有底収納袋の内面は、白色して内部を明るくして内部収容物の視認性を高めた機能を設けた工具袋。
【請求項４】
請求項１〜３に記載の工具袋において
有底収納袋が、風にあおられて転倒しない為の振れ止め紐を設けた工具袋。
【請求項５】
請求項１〜４に記載の工具袋において
有底収納袋の内部底面に仕分け袋を取り外し型又は固定型を設けたことを特徴とする工具袋。
【考案の詳細な説明】
【技術分野】
【０００１】本考案は、高所作業用工具袋である。
さらに詳しくは、鉄塔や電柱での屋外・屋内電気及び携帯電話基地局等工事の高所での物品の出し入れによる落下物による人身事故防止の安全性・作業性を高めるものである。
【背景技術】
【０００２】従来の有底収納袋の形状は、フタなし収納袋に紐状体の持ち手が設けられたものである。
【先行技術文献】
【特許文献】
【０００３】
【特許文献１】特開２０１３−１１１６８０号（２０１３．６．１０）
【実用新案登録１】
実登３１９６５９２号（Ｕ３１９６５９２）
【０００４】
【考案の概要】
【考案が解決しようとする課題】
【０００５】従来の技術の問題点は、下記の通りです。
▲１▼フタがないので、高所作業場で風に吹かれると有底収納袋が転倒して内部物品が落下して人身事故の恐れがある。
▲２▼振れ止め紐がないので、高所作業場で風に吹かれると転倒して内部の物品が落下して人身事故等の恐れがある。
▲３▼有底収納袋の内面は、暗色では視認性が悪く、内部収容物の的確な物品を取り出せなかった。
▲４▼有底収納袋の内部に、物品の仕分け袋がないので、多種類な物品の混在で必要な物品の的確な取出しが、できなかった。
【課題を解決するための手段】
【０００６】以上の課題を解決する為には、下記の通りです。
第一考案は、有底収納袋の上部に、スライドファスナー付透明シートの開閉フタを設けて内部収納物を目視確認できる機能を設けたことを特徴とする工具袋。
第二考案は、スライドファスナー付透明シートのフタを全開しないと、大きな物品の取出しができないが、フタに物品の取り出し口を設けて小さな物品は、目視確認して的確に出し入れできる機能を設けたことを特徴とする工具袋。
第三考案は、有底収納袋の内面は、暗色では視認性が悪く、白色して内部収容物の視認性を高めて的確な物品を取り出せる機能を設けた工具袋。
第四考案は、有底収納袋本体に、振れ止め紐を設けたことを特徴とする工具袋。
第五考案は、有底収納袋の底部に物品の仕分け袋を設ける、または仕分け袋を必要な時には、出し入れできる機能を設けたことを特徴とした工具袋である。
【考案の効果】
【０００７】第一考案は、有底収納袋の上部に、スライドファスナー付透明シートの開閉フタを設けて内部収納物を目視確認でき物品の取出しが的確にでき不安定な高所作業の効率化と安全が図れる効果。
第二考案は、スライドファスナー付透明シートのフタを全開しないと、大きな物品の取出しができないが、フタに物品の取り出し口を伸縮性ゴム製または、生地で重ねシロを設けることにより、高所で有底収納袋が転倒しても物品は飛び出さず、且つ小さな物品は、フタを常に閉鎖状態でも目視確認して的確に取り出せることにより、不安定な高所作業の効率化と安全が図れる効果。
第三考案は、有底収納袋の内面は、暗色では視認性が悪く、白色して内部収容物の視認性を高めて的確な物品を取り出せることにより、不安定な高所作業の効率化と安全が図れる効果。
第四考案は、振れ止め紐を設けることにより、高所作業中に風に吹かれて有底収納袋が転倒して物品が地上に落下による、人身事故の防止に役立ち安全対策が図れる効果。
第五考案は、有底収納袋の底部に仕分け袋を設けることにより、多種類な物品の整理ができ、その中で必要物品の取出しが容易になり、不安定な高所作業の効率化と安全が図れる効果。
【図面の簡単な説明】
【０００８】
【図１】本考案の一実施形態を示す斜視図である。
【図２】本考案の一実施形態を示す平面図である。
【図３】本考案の電柱・鉄塔部材に振れ止め紐を固定した斜視図である。
【図４】本考案の有底収納袋内に挿入して使用する、仕分け袋の斜視図である。
【図５】本考案の有底収納袋内に挿入して使用する。仕分け袋の平面図である。
【図６】従来技術を示す斜視図である
【考案を実施するための形態】
【０００９】以下、本考案を実施するための形態について説明する
有底収納袋の本体１は帆布製または、ＥＶＡ製（熱可塑性合成樹脂）及び、ＰＶＣ製（ポリ塩化ビニル）等であり本体１の内面を白色の材料、この本体１のフタは、ポリプロピレン製等の透明シート２その透明シートに伸縮性のゴム製または、生地の取出し口３を設けて物品の出し入れ可能な形態である。
「他の実施形態」
有底収納袋本体１が、上、下に伸縮式で折り畳み可能型、または角筒状にして、物品の取り出し口付、スライドファスナー付透明シートのフタ収納袋内面を白色とし、かつ内部底部分に取出し型または、固定型の物品種類別の仕分け袋を設けそして振れ止め紐を設けた形態である。
他に水産業（防水処理）・農業用収穫袋等の使用形態がある。
【符号の説明】
【０００１０】１  有底収納袋の本体（内面は白色の材料）
２  透明シート
３  伸縮性のゴム製または、生地の取出し口
４  持ち手バンド
５  振れ止め紐
６  仕分け袋
【図１】
0003208509.tif 000003
【図２】
0003208509.tif 000004
【図３】
0003208509.tif 000005
【図４】
0003208509.tif 000006
【図５】
0003208509.tif 000007
【図６】
0003208509.tif 000008
【手続補正書】
【提出日】平成28年10月27日(2016.10.27)
【手続補正１】
【補正対象書類名】実用新案登録請求の範囲
【補正対象項目名】全文
【補正方法】変更
【補正の内容】
【実用新案登録請求の範囲】
【請求項１】
有底収納袋の上部に、スライドファスナー付透明シートの開閉フタを設けて内部収容物を目視確認できる機能を設けたことを特徴とする工具袋。
【請求項２】
請求項１の工具袋において
透明シートのフタに、物品の取り出し口を設けて、フタを常に閉鎖の状態で目視確認して必要な工具を的確に出し入れできる機能を設けたことを特徴とする工具袋。
【請求項３】
請求項１または２に記載の工具袋において
有底収納袋の内面は、白色して内部を明るくして内部収容物の視認性を高めた機能を設けた工具袋。
【請求項４】
請求項１〜３のいずれか一項に記載の工具袋において
有底収納袋が、風にあおられて転倒しない為に、有底収納袋本体に振れ止め紐を２本を設けて端部を電柱または鉄塔部材に取付けた工具袋。
【請求項５】
請求項１〜４のいずれか一項に記載の工具袋において
有底収納袋の内部底面に仕分け袋を取り出し型又は固定型に設けたことを特徴とする工具袋。
【手続補正３】
【補正対象書類名】図面
【補正対象項目名】図４
【補正方法】変更
【補正の内容】
【図４】
0003208509.tif 000009
【手続補正４】
【補正対象書類名】図面
【補正対象項目名】図５
【補正方法】変更
【補正の内容】
【図５】
0003208509.tif 000010